(57)【要約】  情報記録媒体、データの記録／再生方法及び装置が開示されている。  該開示された情報記録媒体は、リードイン領域、ユーザデータ領域及びリードアウト領域のうち、１つの領域に再生専用データがウォッブルでもって記録され、再生専用データがリードイン領域及びリードアウト領域のうち、少なくとも１つの領域に複写記録されることを特徴とする。これにより、再生専用データのための別途の領域を具備する必要がないので、ユーザデータを記録できる記録領域を最大限に確保することができるから、小型化される情報記録媒体に有用に適用可能である。
2007505426.tif 000002
【特許請求の範囲】
【請求項１】
リードイン領域、ユーザデータ領域、及びリードアウト領域を含んだ記録可能な情報記録媒体において、
前記リードイン領域、ユーザデータ領域及びリードアウト領域のうち、少なくとも１つの領域に再生専用データがウォッブルでもって記録され、前記再生専用データが前記リードイン領域及び／またはリードアウト領域に複写及び記録されていることを特徴とする情報記録媒体。
【請求項２】
前記リードイン領域、ユーザデータ領域、及びリードアウト領域は、いずれもグルーブに形成されることを特徴とする請求項１に記載の情報記録媒体。
【請求項３】
前記リードイン領域及びリードアウト領域全体は、記録可能であることを特徴とする請求項１に記載の情報記録媒体。
【請求項４】
前記再生専用データの複写記録は、前記情報記録媒体がドライブに挿入されたときに行われることを特徴とする請求項１に記載の情報記録媒体。
【請求項５】
前記再生専用データが重複して記録されることを特徴とする請求項１に記載の情報記録媒体。
【請求項６】
前記再生専用データが前記リードイン領域及びリードアウト領域のうち、少なくとも１つの領域に重複して記録されることを特徴とする請求項１に記載の情報記録媒体。
【請求項７】
前記再生専用データは、ディスク関連データ及び／またはディスクコントロールデータであることを特徴とする請求項１に記載の情報記録媒体。
【請求項８】
前記情報記録媒体は、複数層の情報保存層を有し、前記再生専用データが前記複数層の情報保存層のうち、いずれか一層だけに複写記録されることを特徴とする請求項１に記載の情報記録媒体。
【請求項９】
前記情報記録媒体は、複数層の情報保存層を有し、前記再生専用データが前記複数層の情報保存層それぞれに記録されることを特徴とする請求項１に記載の情報記録媒体。
【請求項１０】
前記複写された再生専用データは、グルーブに記録されていることを特徴とする請求項１に記載の情報記録媒体。
【請求項１１】
前記ウォッブルは、バイフェーズ変調されたことを特徴とする請求項１に記載の情報記録媒体。
【請求項１２】
前記ウォッブルは、位相変調されたことを特徴とする請求項１に記載の情報記録媒体。
【請求項１３】
リードイン領域、ユーザデータ領域、及びリードアウト領域を含んだ記録可能な情報記録媒体にデータを記録及び／または再生する方法において、
前記リードイン領域、ユーザデータ領域及びリードアウト領域のうち、１つの領域に再生専用データをウォッブルでもって記録するステップと、
前記記録された再生専用データを前記リードイン領域及び／またはリードアウト領域に複写及び記録するステップと、
前記情報記録媒体から前記複写及び記録された再生専用データを再生するステップとを含むことを特徴とする方法。
【請求項１４】
前記リードイン領域及びリードアウト領域全体は、記録可能であることを特徴とする請求項１３に記載の方法。
【請求項１５】
前記再生専用データの複写記録は、前記情報記録媒体がドライブに挿入されたときに行われることを特徴とする請求項１３に記載の方法。
【請求項１６】
前記複写及び記録された再生専用データは、前記情報記録媒体に重複して複写及び記録されることを特徴とする請求項１３に記載の方法。
【請求項１７】
前記再生専用データは、前記リードイン領域、ユーザデータ領域またはリードアウト領域のグルーブに記録されていることを特徴とする請求項１３に記載の方法。
【請求項１８】
前記ウォッブルは、バイフェーズ変調されたことを特徴とする請求項１３に記載の方法。
【請求項１９】
第１３項において、
前記ウォッブルは、位相変調されたことを特徴とする請求項１３に記載の方法。
【請求項２０】
リードイン領域、ユーザデータ領域、リードアウト領域を含んだ記録可能な情報記録媒体に情報を記録／再生する装置において、
前記情報記録媒体に／からデータを記録／読み出しする記録／読み出し部と、
前記リードイン領域、ユーザデータ領域、リードアウト領域のうち、１つの領域にウォッブルでもって記録された再生専用データを前記リードイン領域及び／またはリードアウト領域に複写及び記録するように、前記記録／読み出し部を制御し、前記情報記録媒体に複写及び記録された再生専用データを読み出し、前記読み出された再生専用データによってユーザデータを記録及び／または再生するように、前記記録／読み出し部を制御する制御部とを備えることを特徴とする装置。
【請求項２１】
前記制御部は、前記情報記録媒体が前記装置にローディングされたとき、前記再生専用データが複写及び記録されるように、前記記録／読み出し部を制御することを特徴とする請求項２０に記載の装置。
【請求項２２】
前記制御部は、前記再生専用データを複写記録するとき、重複して記録するように、前記記録／読み出し部を制御することを特徴とする請求項２０に記載の装置。
【請求項２３】
前記ウォッブルは、バイフェーズ変調された信号であり、前記制御部は、バイフェーズ変調された前記ウォッブルを復調することを特徴とする請求項２０に記載の装置。
【請求項２４】
前記ウォッブルは、位相変調された信号であり、前記制御部は、位相変調された前記ウォッブルを復調することを特徴とする請求項２０に記載の装置。
【請求項２５】
増加された保存容量を有する記録媒体において、
情報が記録され、前記記録媒体の一層の記録可能な領域に形成されるウォッブルグルーブを備え、
前記ウォッブルグルーブに記録された情報は、再生装置により再生される複数個の専用領域のうち、少なくとも一つに複写されることを特徴とする記録媒体。
【請求項２６】
記録媒体についての情報の記録及び再生方法において、
前記記録媒体の一層の記録可能な領域にウォッブルグルーブに情報を記録するステップと、
前記ウォッブルグルーブに記録された情報を、再生される前記記録媒体の複数個の専用領域のうち、少なくとも一つに複写することを特徴とする方法。
【請求項２７】
情報が記録され、前記記録媒体の一層の記録可能な領域に形成されるウォッブルグルーブ、及び前記記録媒体の複数個の専用領域のうち、少なくとも一つに提供された前記ウォッブルグルーブに記録された情報の複写本を具備する記録媒体から情報を再生するためのディスクドライブ装置において、
前記記録媒体上に情報を記録し、前記記録された情報を読み出すユニットと、
前記ウォッブルグルーブに記録された情報が、再生される前記記録媒体の複数個の専用領域のうち、少なくとも一つに複写されるように、前記ユニットを制御する制御部とを備えることを特徴とする装置。
【発明の詳細な説明】
【技術分野】
【０００１】
本発明は、データの記録領域をできる限り多く確保して記録容量を増加させた小型情報記録媒体、及びデータの記録／再生方法及び装置に関する。
【背景技術】
【０００２】
一般的に、情報記録媒体は、非接触式で情報を記録／再生する光ピックアップ装置の情報記録媒体として広く採用され、情報記録媒体の一種であるディスクは、情報記録容量により、コンパクトディスク（ＣＤ）、デジタル多機能ディスク（ＤＶＤ）に区分される。そして、記録、消去及び再生の可能な光ディスクとしては、６５０ＭＢ  ＣＤ−Ｒ、ＣＤ−ＲＷ、４．７ＧＢ  ＤＶＤ＋ＲＷなどがある。さらに、記録容量が２０ＧＢ以上であるＨＤ−ＤＶＤも開発されている。
【０００３】
一方、近来には、モバイル用情報記録媒体に対する需要が日増しに増加している。かようなモバイル用への使用のために、情報記録媒体の小型化についての研究開発が進んでいる。情報記録媒体の小型化のために解決しなければならない問題が多くあるが、小型化による記録容量の減少を補完することが重要な課題のうちの一つである。
【０００４】
図１Ａは、従来の情報記録媒体のデータ領域のレイアウトを表した図である。従来の情報記録媒体は、ＢＣＡ（バーストカッティングエリア）領域１０、リードイン領域１５、ユーザデータ領域２０、及びリードアウト領域２５を含む。
【０００５】
リードイン領域１５は、コントロールデータ領域１５ａ、ＯＰＣ（最適パワーコントロール）領域１５ｂ、ディスク情報領域１５ｃを含み、リードアウト領域２５は、バッファ領域から構成されうる。また、情報記録媒体の最外周領域には、ディスク製造過程で使用できないようにした非使用領域２６が形成される。
【０００６】
コントロールデータ領域１５ａには、ディスクサイズ、バージョンナンバ、記録層の層数のような変わらない情報が再生専用データとして記録されている。かような再生専用データは、ピットやウォッブルでもって記録される。再生専用データがピットでもって記録される場合に比べ、ウォッブルでもって記録される場合の方が記録容量をさらに多く占め、ウォッブルでもって記録された情報を読む出すとき、時間もさらに多くかかる。
【０００７】
図１Ｂは、コントロールデータ領域がリードイン領域１５とリードアウト領域２５の双方に備わった例を表した図である。リードアウト領域２５には、バッファ領域２５ａとコントロールデータ領域とが備わっている。
【０００８】
このように、再生専用データが記録される領域（コントロールデータ領域）やリードイン領域に備わった他の領域が多ければ多いほど、ユーザデータ領域の記録容量が減少するので、情報記録媒体が小型化するほど、リードイン領域やリードアウト領域を減らすことができる方策を模索する必要がある。
【発明の開示】
【発明が解決しようとする課題】
【０００９】
本発明は、前記の問題点を解決するために案出され、できる限り記録領域を広く確保することができる小型の情報記録媒体、及びデータの記録／再生方法及び装置を提供するところにその目的がある。
【課題を解決するための手段】
【００１０】
前記の目的を達成するために、本発明による情報記録媒体は、リードイン領域、ユーザデータ領域、リードアウト領域を含んだ記録可能な情報記録媒体において、前記リードイン領域、ユーザデータ領域及びリードアウト領域のうち、１つの領域に再生専用データがウォッブルでもって記録され、前記再生専用データが前記リードイン領域及び／またはリードアウト領域のうち、少なくとも１つの領域に複写記録されることを特徴とする。
【００１１】
前記リードイン領域、ユーザデータ領域、及びリードアウト領域は、いずれもグルーブに形成される。前記リードイン領域及びリードアウト領域は、記録可能な領域だけからなる。
【００１２】
前記再生専用データの複写記録は、前記情報記録媒体が最初にドライブに挿入されたときに行われることが望ましい。
【００１３】
前記再生専用データは、ディスク関連データまたはディスクコントロールデータでありうる。
【００１４】
前記目的を達成するために、本発明によるデータの記録／再生方法は、リードイン領域、ユーザデータ領域、リードアウト領域を含んだ記録可能な情報記録媒体にデータを記録／再生する方法において、前記リードイン領域、ユーザデータ領域及びリードアウト領域のうち、１つの領域に再生専用データをウォッブルでもって記録するステップと、前記再生専用データを前記リードイン領域及び／またはリードアウト領域のうち、少なくとも１つの領域に複写記録するステップと、前記情報記録媒体に／からデータを記録／再生するとき、前記複写記録されたデータを再生するステップとを含むことを特徴とする。
【００１５】
前記目的を達成するために、本発明によるデータの記録／再生装置は、リードイン領域、ユーザデータ領域、リードアウト領域を含んだ記録可能な情報記録媒体に情報を記録／再生する装置において、前記情報記録媒体に／からデータを記録／読み出しする記録／読み出し部と、前記リードイン領域、ユーザデータ領域、リードアウト領域のうち、１つの領域にウォッブルでもって記録された再生専用データを前記リードイン領域及びリードアウト領域のうち、少なくとも１つの領域に複写記録するように、前記記録／読み出し部を制御し、前記情報記録媒体に複写記録された再生専用データを読み出し、前記読み出された再生専用データによってユーザデータを記録／再生するように、前記記録／読み出し部を制御する制御部とを備えることを特徴とする。
【発明を実施するための最良の形態】
【００１６】
以下、本発明による実施形態を、添付された図面を参照しつつ詳細に説明する。
【００１７】
本発明の一実施形態による情報記録媒体は、記録可能な情報記録媒体であり、図２Ａを参照するに、情報記録媒体の内周側から、リードイン領域５０、ユーザデータ領域６０、及びリードアウト領域７０を含む。そして、リードイン領域５０の内周方向に、ＢＣＡ領域４５がさらに備わりうる。
【００１８】
ＢＣＡ領域４５は、情報が記録され始まる領域（リードイン領域）より内周側に備わる領域であり、ミラー領域として構成されるか、またはピットまたはグルーブにより構成されうる。
【００１９】
リードイン領域５０は、記録可能な領域であり、最適の記録／再生パワーをテストするためのＯＰＣ領域５０ａと、保留領域５０ｂと、ディスク情報領域５０ｃとを含む。リードイン領域５０には、再生専用データが記録される領域が備わらない。
【００２０】
保留領域５０ｂは、情報記録媒体の製造時には、いかなるデータも記録されていないが、その後に必要によってデータを記録できる領域である。
【００２１】
ディスク情報領域５０ｃには、例えば、欠陥管理情報、ドライブ関連情報、ディスクの使用によって変更されるディスク情報（例えば、記録が最後にされたデータ領域のアドレスなど）、記録防止情報のようなアップデートされる情報が記録されうる。
【００２２】
リードアウト領域７０は、バッファ領域７０ａと保留領域７０ｂとを含み、リードアウト領域７０の外周側に非使用領域７１が備わる。
【００２３】
本発明による情報記録媒体は、小型の情報記録媒体であり、例えば、全体径が３５ｍｍであるか４６ｍｍであるモバイル用に適用されうる。例えば、４６ｍｍ径のディスクにＤＶＤ容量に該当する４．７ＧＢを記録する場合、次の通り構成されうる。最小マーク長が０．１１９μｍ、ＥＣＣブロックサイズは、６４ＫＢ、トラックピッチが０．３２μｍである。そして、ＲＬＬ（１，７）変調方式を採用し、ピックアクセス可能領域の開始半径が８ｍｍである。
【００２４】
リードイン領域５０、ユーザデータ領域６０及びリードアウト領域７０は、いずれもグルーブに形成され、全領域が記録可能な領域からなっている。
【００２５】
図２Ｂを参照するに、リードイン領域５０、ユーザデータ領域６０及びリードアウト領域７０のうち、少なくともある領域のグルーブ５５にウォッブルｗが形成され、このウォッブルｗに再生専用データが記録される。例えば、再生専用データがリードイン領域５０にグルーブウォッブルでもって記録されるか、またはユーザデータ領域６０にグルーブウォッブルでもって記録されうる。
【００２６】
再生専用データは、例えば、コントロールデータまたはディスク関連データでありうる。コントロールデータまたはディスク関連データは、例えば、ディスクサイズ、バージョンナンバ、情報保存層の層数のようなディスクに関する変わらないデータや、記録ストラテジパラメータや記録速度のような記録関連データになりうる。
【００２７】
本発明では、ディスク関連データやコントロールデータのような再生専用データがグルーブウォッブルに記録されるので、別途の再生専用領域が備わる必要がない。
【００２８】
一方、前記グルーブウォッブルに記録された再生専用データがリードイン領域５０やリードアウト領域７０のうち、少なくともいずれか１つの領域に複写記録されることが望ましい。換言すれば、情報記録媒体に／からデータを記録／再生するために、データの記録／再生装置に情報記録媒体を挿入したとき、前記グルーブウォッブルに記録された再生専用データをリードイン領域５０やリードアウト領域７０に複写記録させる。それにより、次に情報記録媒体を使用するときには、前記複写記録されたデータを利用し、記録／再生を行うことができる。
【００２９】
同量の情報を記録する場合、グルーブウォッブルでもって記録する場合に比べ、記録可能な領域に記録する方が容量がさらに少なくてすみ、かつデータ再生時間も少なくかかる。従って、グルーブウォッブル形態で記録されたデータを読む出すことに比べ、前記リードイン領域やリードアウト領域に複写記録されたデータを読む出す方が再生時間を短縮させるという利点がある。
【００３０】
前記再生専用データの複写記録は、前記情報記録媒体が最初に記録／再生装置（ドライブ）に挿入されたときに行われうる。このように、再生専用データが複写記録された後には、情報記録媒体の使用時に、前記グルーブウォッブルでもって記録されているデータを再生する必要なく、前記複写記録された再生専用データを再生してデータの記録／再生を行う。従って、データの記録／再生に必要な情報を最小限の記録領域に記録すると共に、該情報の再生に必要な時間も最小化できる。
【００３１】
再生専用データの複写記録は、リードイン領域５０の保留領域５０ｂ、またはリードアウト領域７０の保留領域７０ｂに行われ、複写記録されたデータの信頼性を高めるために、複写記録を複数回反復記録できる。または、複写記録をリードイン領域５０とリードアウト領域７０の双方に反復して記録したり、各領域に複数回反復記録することもできる。このように反復記録することにより、スクラッチや指紋などによっていずれか１つのデータが損傷されても、残りの他のデータを読み出すことができる。
【００３２】
次に、本発明による情報記録媒体は、複数層の情報保存層を有する情報記録媒体にも適用可能である。図３は、第１保存層Ｌ０と第２保存層Ｌ１とを有する情報記録媒体を示した図である。
【００３３】
第１保存層Ｌ０と第２保存層Ｌ１は、それぞれＢＣＡ領域４５＿Ｌ０，４５＿Ｌ１、リードイン領域５０＿Ｌ０，５０＿Ｌ１、ユーザデータ領域６０＿Ｌ０，６０＿Ｌ１、及びリードアウト領域７０＿Ｌ０，７０＿Ｌ１を含む。参照番号７１＿Ｌ０及び７１＿Ｌ１は、非使用領域を表す。
【００３４】
リードイン領域５０＿Ｌ０，５０＿Ｌ１は、ＯＰＣ領域５０ａ＿Ｌ０，５０ａ＿Ｌ１、保留領域５０ｂ＿Ｌ０，５０ｂ＿Ｌ１、ディスク情報領域５０ｃ＿Ｌ０，５０ｃ＿Ｌ１を含み、リードアウト領域７０＿Ｌ０，７０＿Ｌ１は、バッファ領域７０ａ＿Ｌ０，７０ｂ＿Ｌ１と保留領域７０ｂ＿Ｌ０，７０ｂ＿Ｌ１とを含む。
【００３５】
ここで、前記第１情報層にあるＯＰＣ領域５０ａ＿Ｌ０と第２情報層にあるＯＰＣ領域５０ｂ＿Ｌ１は、互いに入れ違って配置されることが望ましい。すなわち、情報記録媒体の半径に対し、相異なる半径範囲に入るように配置されることが望ましい。これは、ＯＰＣ領域は、最適の記録パワーを探すための領域であり、第１情報層にあるＯＰＣ領域５０ａ＿Ｌ０と第２情報層にあるＯＰＣ領域５０ｂ＿Ｌ１とが互いに対面するように配置される場合、互いに悪影響を及ぼしうることを防止するためである。
【００３６】
複数層の情報保存層を有する情報記録媒体には、コントロールデータやディスク関連データのような再生専用データがグルーブウォッブルでもって情報保存層ごとにそれぞれ記録されるか、またはいずれか一層の情報保存層だけに記録されうる。そして、前記グルーブウォッブルでもって記録された再生専用データが、リードイン領域５０＿Ｌ０，５０＿Ｌ１及び／またはリードアウト領域７０＿Ｌ０，７０＿Ｌ１に複写記録されうる。
【００３７】
一方、再生専用データをウォッブルでもって記録する場合、記録密度を高めることができる変調方式によってウォッブル信号を変調して記録することが望ましい。
【００３８】
図４は、バイフェーズ変調または位相変調されたウォッブル信号を表す図である。
【００３９】
バイフェーズ変調されたウォッブル信号は、所定周期の各ウォッブル信号が０（ゼロ）をクロスする場合には、データビット「１」を割り当て、クロスしない場合には、データビット「０」を割り当てることによってデータビットを表す。
【００４０】
位相変調されたウォッブル信号は、所定周期の各ウォッブル信号がすぐ次の周期のウォッブル信号の開始点で位相が１８０°変わる場合は、データビット「１」を割り当て、位相が連続的である場合には、データビット「０」を割り当てることによってデータビットを表す。
【００４１】
次に、本発明による情報記録媒体にデータを記録／再生する方法は、前記リードイン領域、ユーザデータ領域及びリードアウト領域のうち、１つの領域にあるグルーブに再生専用データをウォッブルでもって記録するステップ、及び前記再生専用データを前記リードイン領域及びリードアウト領域のうち、少なくとも１つの領域に複写記録するステップを含む。
【００４２】
そして、前記情報記録媒体に／からデータを記録／再生するとき、前記複写記録されたデータを再生し、該再生データによって記録／再生を行う。
【００４３】
前記再生専用データを複写記録する場合に、データの信頼性を高めるために、リードイン領域及び／またはリードアウト領域に複数回反復記録できる。
【００４４】
図５は、本発明の一実施形態によるデータ記録及び／または再生装置のブロック図である。本発明による装置は、記録／読み出し部８１及び制御部８２を備える。記録／読み出し部８１は、本発明の実施形態による情報記録媒体のディスク８５にデータを記録し、記録されているデータを読み出す。制御部８２は、記録／読み出し部８１を制御し、本発明によってグルーブウォッブルでもって記録されているコントロールデータやディスク関連情報のような再生専用データをディスク８５の所定領域に複写記録したり、ディスク８５に複写記録された再生専用情報を読み出し、この再生された情報によってディスク８５に／からデータを記録／再生する。
【００４５】
さらに詳細に説明すれば、制御部８２は、ディスク８５に設けられたリードイン領域、ユーザデータ領域、リードアウト領域のうち、１つの領域にウォッブルでもって記録された再生専用データを前記リードイン領域及びリードアウト領域のうち、少なくとも１つの領域に複写記録するように、記録／読み出し部８１を制御し、ディスク８５に複写記録された再生専用データを読み出し、前記読み出された再生専用データによってユーザデータを記録／再生するように、記録／読み出し部８１を制御する。
【００４６】
また、制御部８２は、ディスク８５がローディングされた初期に、前記再生専用データの複写記録を行うように、記録／読み出し部８１を制御する。また、制御部８２は、前記再生専用データを複写記録するとき、複数回反復記録するように、記録／読み出し部８１を制御する。
【００４７】
前述の本発明の一実施形態でのように、前記ウォッブルは、バイフェーズ変調または位相変調された信号でありうる。制御部８２は、バイフェーズ変調または位相変調された前記ウォッブルを復調する。
【００４８】
図６は、図５の装置が具現されたディスクドライブのブロック図である。図６を参照するに、ディスクドライブは、記録／読み出し部８１としてピックアップ９０を具備する。ディスク８５は、ピックアップ９０に装着されている。また、ディスクドライブは、制御部８２としてＰＣ  Ｉ／Ｆ  ９４、ＤＳＰ（デジタル信号プロセッサ）９２、ＲＦ  ＡＭＰ９３、サーボ９６、及びシステムコントローラ９８を具備する。
【００４９】
記録時に、ＰＣ  Ｉ／Ｆ  ９４は、ホスト（図示せず）から記録するデータと共に記録命令を受ける。システムコントローラ９８は、記録に必要な初期化を行う。すなわち、リードイン領域に記録されているコントロールデータやディスク関連データなど初期化に必要な情報を読み出した後、それを基にデータの記録／再生を準備する。ＤＳＰ  ９２は、ＰＣ  Ｉ／Ｆ  ９４を介して受け取った記録するデータを、エラー訂正のためにパリティなど付加データを添加してＥＣＣエンコーディングを行い、ＥＣＣエンコーディングされたデータを既定の方式で変調する。ＲＦ  ＡＭＰ  ９３は、ＤＳＰ  ９２から出力されたデータをＲＦ信号に変える。ピックアップ９０は、ＲＦ  ＡＭＰ  ９３から出力されたＲＦ信号をディスク８５に記録する。サーボ９６は、システムコントラローラ９８からサーボ制御に必要な命令を入力されてピックアップ９０をサーボ制御する。ディスク８５にあらかじめ再生速度情報が記録されていない場合、システムコントローラ９８は、記録を始める時点、記録を進めている最中、または記録が完了した後、本発明による再生速度情報をディスク８５の所定領域に記録することをピックアップ９０に命令する。
【００５０】
再生時に、ＰＣ  Ｉ／Ｆ  ９４は、ホスト（図示せず）から再生命令を受ける。システムコントローラ９８は、再生に必要な初期化を行う。このとき、システムコントローラ９８は、本発明によってディスク８５に記録されているコントロールデータやディスク関連データを読み出し、これによりデータの記録／再生を行う。ピックアップ９０は、ディスク８５にレーザビームを照射し、ディスク８５から反射されたレーザビームを受光して得られた光信号を出力する。ＲＦ  ＡＭＰ  ９３は、ピックアップ９０から出力された光信号をＲＦ信号に変え、ＲＦ信号から得られた変調されたデータをＤＳＰ  ９２に提供する一方、ＲＦ信号から得られた制御のためのサーボ信号をサーボ９６に提供する。ＤＳＰ  ９２は、変調されたデータを復調し、ＥＣＣエラー訂正を経て得られたデータを出力する。一方、サーボ９６は、ＲＦ  ＡＭＰ  ９３から受けたサーボ信号と、システムコントローラ９８から受けたサーボ制御に必要な命令とを受け、ピックアップ９０に対するサーボ制御を行う。ＰＣ  Ｉ／Ｆ  ９４は、ＤＳＰ  ９２から受けたデータをホストに送る。
【００５１】
以上で説明した通り、コントロールデータやディスク関連データのような再生専用データを記録するための別途の領域を具備せずに、グルーブウォッブル形態でデータを記録し、該データを複写記録することにより、再生専用データのための記録容量を少なく使用しつつも、迅速に情報を再生できる。
【００５２】
以上、本発明についてその望ましい実施形態を中心に述べたが、本発明が属する技術分野で当業者は、本発明が本発明の本質的な特性から外れない範囲で変形された形態に具現できるということを理解できるであろう。
【産業上の利用可能性】
【００５３】
本発明による情報記録媒体、データの記録／再生方法及び装置は、再生専用データのための別途の領域を具備する必要がないので、ユーザデータを記録できる記録領域を最大限に確保することができるから、小型化される情報記録媒体に有用に適用されうる。また、グルーブウォッブルでもって記録された再生専用データをさらに複写記録し、該複写記録されたデータを利用してデータの記録／再生を行うために、再生専用データを速かに再生できる。
【図面の簡単な説明】
【００５４】
【図１Ａ】従来の情報記録媒体のデータ領域レイアウトを表した図である。
【図１Ｂ】従来の情報記録媒体のデータ領域レイアウトを表した図である。
【図２Ａ】本発明の一実施形態による情報記録媒体のデータ領域レイアウトを表した図である。
【図２Ｂ】本発明の一実施形態による情報記録媒体に形成されたグルーブとウォッブルの形態で記録された情報を説明するための図である。
【図３】本発明の一実施形態による情報記録媒体が二層の情報保存層を有する場合のデータ領域レイアウトを表した図である。
【図４】バイフェーズ変調または位相変調されたウォッブル信号を表す図である。
【図５】本発明の一実施形態によるデータ記録及び／または再生装置のブロック図である。
【図６】図５の装置が具現されたディスクドライブのブロック図である。
【図１Ａ】
2007505426.tif 000003
【図１Ｂ】
2007505426.tif 000004
【図２Ａ】
2007505426.tif 000005
【図２Ｂ】
2007505426.tif 000006
【図３】
2007505426.tif 000007
【図４】
2007505426.tif 000008
【図５】
2007505426.tif 000009
【図６】
2007505426.tif 000010
【国際調査報告】
2007505426.tif 000011